(57)【特許請求の範囲】
【請求項１】
第１の座標軸に第１の変数を対応付けし、かつ当該第１の座標軸と交差する第２の座標軸に第２の変数を対応付けして当該第１の変数毎の当該第２の変数を示す第１のグラフ表示を表示画面の第１の表示領域内に表示させると共に、前記第１の変数についての範囲を指定する第１の範囲指定表示を前記第１のグラフ表示に対応させて前記表示画面内に表示させ、かつ当該第１の範囲指定表示によって指定された範囲の前記第１の変数に対応する前記第２の変数に基づく第２のグラフ表示を前記第１のグラフ表示と共に前記表示画面の第２の表示領域内に表示させる表示制御部を備えた表示制御装置であって、
前記表示制御部は、前記第１の範囲指定表示によって指定された範囲に対応する前記第２のグラフ表示を表示させている状態において前記第１の変数についての新たな範囲を指定する操作が行われたときに、当該新たな範囲を特定可能な第２の範囲指定表示を前記第１の範囲指定表示と区別可能に当該第１の範囲指定表示の表示態様とは異なる表示態様で前記第１のグラフ表示に対応させて当該第１の範囲指定表示と共に前記表示画面内に表示させ、かつ当該第２の範囲指定表示によって指定された当該新たな範囲に対応する前記第２のグラフ表示を前記第２の表示領域内に表示させると共に、当該指定された新たな範囲に対応する当該第２のグラフ表示の表示が完了したときに、予め規定された条件が満たされたとして前記第１の範囲指定表示を非表示とする表示制御装置。
【請求項２】
前記表示制御部は、前記予め規定された条件が満たされて前記第１の範囲指定表示を非表示とした後に、前記第２の範囲指定表示を新たな前記第１の範囲指定表示として表示替えする請求項１記載の表示制御装置。
【請求項３】
前記表示制御部は、前記新たな範囲が指定されたときに、当該新たな範囲に対応する前記第２のグラフ表示の表示が完了するまで、直前に指定された前記範囲に対応する前記第２のグラフ表示の表示を継続させる請求項１または２記載の表示制御装置。
【請求項４】
第１の座標軸に第１の変数を対応付けし、かつ当該第１の座標軸と交差する第２の座標軸に第２の変数を対応付けして当該第１の変数毎の当該第２の変数を示す第１のグラフ表示を表示画面の第１の表示領域内に表示させると共に、前記第１の変数についての範囲を指定する第１の範囲指定表示を前記第１のグラフ表示に対応させて前記表示画面内に表示させ、かつ当該第１の範囲指定表示によって指定された範囲の前記第１の変数に対応する前記第２の変数に基づく第２のグラフ表示を前記第１のグラフ表示と共に前記表示画面の第２の表示領域内に表示させる表示制御方法であって、
前記第１の範囲指定表示によって指定された範囲に対応する前記第２のグラフ表示を表示させている状態において前記第１の変数についての新たな範囲を指定する操作が行われたときに、当該新たな範囲を特定可能な第２の範囲指定表示を前記第１の範囲指定表示と区別可能に当該第１の範囲指定表示の表示態様とは異なる表示態様で前記第１のグラフ表示に対応させて当該第１の範囲指定表示と共に前記表示画面内に表示させ、かつ当該第２の範囲指定表示によって指定された当該新たな範囲に対応する前記第２のグラフ表示を前記第２の表示領域内に表示させると共に、当該指定された新たな範囲に対応する当該第２のグラフ表示の表示が完了したときに、予め規定された条件が満たされたとして前記第１の範囲指定表示を非表示とする表示制御方法。
【発明の詳細な説明】
【技術分野】
【０００１】
本発明は、第１の座標軸に第１の変数を対応させ、かつ第２の座標軸に第２の変数を対応させて第１の変数毎に第２の変数を示す第１のグラフ表示と、指定された範囲を特定可能な第１の範囲指定表示と、指定された範囲に対応する第２の変数に基づく第２のグラフ表示とを表示画面内に表示させる表示制御装置および表示制御方法に関するものである。
【背景技術】
【０００２】
この種の表示制御装置を備えた装置、および表示制御方法として、出願人は、メモリレコーダ（波形記録計用周波数解析装置）およびその表示制御方法を下記の特許文献に開示している。出願人が開示しているメモリレコーダでは、Ｘ−Ｔ波形データに基づくＸ−Ｔ波形（電圧値等の変化を経過時間に対応させた波形）、およびＸ−Ｆ波形データに基づくＸ−Ｆ波形（指定された時間範囲内の電圧値に基づいて周波数解析した解析結果を示す波形）を表示部に表示させることができるように構成されている。
【０００３】
このメモリレコーダによって、Ｘ−Ｆ波形データ（周波数解析結果）を表示させるには、まず、Ｘ−Ｔ波形データに基づくＸ−Ｔ波形を表示部に表示させる。この際には、周波数解析範囲を示すカーソルがＸ−Ｔ波形に重なって表示される。次いで、ロータリーノブなどを操作することにより、解析処理を希望する範囲（時間範囲）の先頭位置、または、先頭位置および末尾位置にＸ−Ｔ波形上でカーソルを移動させる。これにより、カーソルによって選択された周波数解析範囲に対応するＸ−Ｔ波形データに基づいて解析処理が実行されてＸ−Ｆ波形データが生成されると共に、Ｘ−Ｆ波形データに基づくＸ−Ｆ波形が表示部に表示される。
【先行技術文献】
【特許文献】
【０００４】
【特許文献１】特開平６−８８８４３号公報（第２−４頁、第１−７図）
【発明の概要】
【発明が解決しようとする課題】
【０００５】
ところが、出願人が開示しているメモリレコーダ、およびその表示制御方法には、以下の改善すべき課題が存在する。すなわち、出願人が開示しているメモリレコーダ、およびその表示制御方法では、Ｘ−Ｔ波形上のカーソルを移動させて任意の周波数解析範囲を指定することにより、指定した範囲に対応するＸ−Ｆ波形データについての解析処理が実行されてＸ−Ｆ波形が表示部に表示される構成・方法が採用されている。この場合、このメモリレコーダ、およびその表示制御方法では、周波数解析範囲を再度指定して解析処理を再び実行させるためにＸ−Ｔ波形上のカーソルを移動させたときに、直前に指定した周波数解析範囲がどのような範囲であったかが判らなくなってしまう。
【０００６】
そのため、例えば、直前に指定した周波数解析範囲に連続して新たな周波数解析範囲を指定したいときに、周波数解析範囲を重ねてまたは不連続に指定してしまったり、直前に指定した周波数解析範囲から一定量だけ離して新たな周波数解析範囲を指定したいときに、その一定量を誤って指定してしまったりすることがある。したがって、利用者が意図する周波数解析範囲の指定ができないことがあり、希望する情報を含むＸ−Ｆ波形を表示し得る周波数解析範囲を確実かつ容易に指定するのが困難となっているという現状がある。このため、この点を改善するのが好ましい。
【０００７】
本発明は、かかる改善すべき課題に鑑みてなされたものであり、グラフの表示を希望する範囲を確実かつ容易に指定し得る表示制御装置および表示制御方法を提供することを主目的とする。
【課題を解決するための手段】
【０００８】
上記目的を達成すべく、請求項１記載の表示制御装置は、第１の座標軸に第１の変数を対応付けし、かつ当該第１の座標軸と交差する第２の座標軸に第２の変数を対応付けして当該第１の変数毎の当該第２の変数を示す第１のグラフ表示を表示画面の第１の表示領域内に表示させると共に、前記第１の変数についての範囲を指定する第１の範囲指定表示を前記第１のグラフ表示に対応させて前記表示画面内に表示させ、かつ当該第１の範囲指定表示によって指定された範囲の前記第１の変数に対応する前記第２の変数に基づく第２のグラフ表示を前記第１のグラフ表示と共に前記表示画面の第２の表示領域内に表示させる表示制御部を備えた表示制御装置であって、前記表示制御部は、前記第１の範囲指定表示によって指定された範囲に対応する前記第２のグラフ表示を表示させている状態において前記第１の変数についての新たな範囲を指定する操作が行われたときに、当該新たな範囲を特定可能な第２の範囲指定表示を前記第１の範囲指定表示と区別可能に当該第１の範囲指定表示の表示態様とは異なる表示態様で前記第１のグラフ表示に対応させて当該第１の範囲指定表示と共に前記表示画面内に表示させ、かつ当該第２の範囲指定表示によって指定された当該新たな範囲に対応する前記第２のグラフ表示を前記第２の表示領域内に表示させると共に、当該指定された新たな範囲に対応する当該第２のグラフ表示の表示が完了したときに、予め規定された条件が満たされたとして前記第１の範囲指定表示を非表示とする。
【００１０】
さらに、請求項２記載の表示制御装置は、請求項１記載の表示制御装置において、前記表示制御部は、前記予め規定された条件が満たされて前記第１の範囲指定表示を非表示とした後に、前記第２の範囲指定表示を新たな前記第１の範囲指定表示として表示替えする。
【００１２】
さらに、請求項３記載の表示制御装置は、請求項１または２記載の表示制御装置において、前記表示制御部は、前記新たな範囲が指定されたときに、当該新たな範囲に対応する前記第２のグラフ表示の表示が完了するまで、直前に指定された前記範囲に対応する前記第２のグラフ表示の表示を継続させる。
【００１３】
また、請求項４記載の表示制御方法は、第１の座標軸に第１の変数を対応付けし、かつ当該第１の座標軸と交差する第２の座標軸に第２の変数を対応付けして当該第１の変数毎の当該第２の変数を示す第１のグラフ表示を表示画面の第１の表示領域内に表示させると共に、前記第１の変数についての範囲を指定する第１の範囲指定表示を前記第１のグラフ表示に対応させて前記表示画面内に表示させ、かつ当該第１の範囲指定表示によって指定された範囲の前記第１の変数に対応する前記第２の変数に基づく第２のグラフ表示を前記第１のグラフ表示と共に前記表示画面の第２の表示領域内に表示させる表示制御方法であって、前記第１の範囲指定表示によって指定された範囲に対応する前記第２のグラフ表示を表示させている状態において前記第１の変数についての新たな範囲を指定する操作が行われたときに、当該新たな範囲を特定可能な第２の範囲指定表示を前記第１の範囲指定表示と区別可能に当該第１の範囲指定表示の表示態様とは異なる表示態様で前記第１のグラフ表示に対応させて当該第１の範囲指定表示と共に前記表示画面内に表示させ、かつ当該第２の範囲指定表示によって指定された当該新たな範囲に対応する前記第２のグラフ表示を前記第２の表示領域内に表示させると共に、当該指定された新たな範囲に対応する当該第２のグラフ表示の表示が完了したときに、予め規定された条件が満たされたとして前記第１の範囲指定表示を非表示とする。
【発明の効果】
【００１４】
請求項１記載の表示制御装置、および請求項４記載の表示制御方法では、第１の範囲指定表示によって指定された範囲に対応する第２のグラフ表示を表示させている状態において第１の変数についての新たな範囲を指定する操作が行われたときに、新たな範囲を特定可能な第２の範囲指定表示を第１の範囲指定表示と区別可能に第１のグラフ表示に対応させて第１の範囲指定表示と共に表示画面内に表示させ、かつ第２の範囲指定表示によって指定された新たな範囲に対応する第２のグラフ表示を表示画面内に表示させると共に、予め規定された条件を満たしたときに第１の範囲指定表示を非表示とする。
【００１５】
したがって、請求項１記載の表示制御装置、および請求項４記載の表示制御方法によれば、第１の範囲指定表示によって指定した範囲に対応する第２のグラフ表示が表示画面に表示されている状態において新たな範囲を指定する際に、直前に指定した範囲を第１の範囲指定表示に基づいて確実かつ容易に認識し、同時に、新たに指定する範囲を第２の範囲指定表示に基づいて確実かつ容易に認識することができるため、この種の装置の操作に不慣れな利用者であっても、第２のグラフ表示の表示を希望する範囲を確実かつ容易に指定することができる。
【００１６】
また、指定された新たな範囲に対応する第２のグラフ表示の表示が完了したときに、予め規定された条件が満たされたとして第１の範囲指定表示を非表示とすることにより、新たな範囲に対応する第２のグラフ表示の表示が完了しても第１の範囲指定表示を継続して表示させる制御とは異なり、表示画面に表示されている第２のグラフ表示が第２の範囲指定表示によって特定される範囲に対応する第２のグラフ表示であることを確実かつ容易に認識させることができる。
【００１７】
さらに、請求項２記載の表示制御装置、およびその表示制御方法によれば、予め規定された条件が満たされて第１の範囲指定表示を非表示とした後に、第２の範囲指定表示を新たな第１の範囲指定表示として表示替えすることにより、第１の範囲指定表示および第２の範囲指定表示を表示させている状態において予め規定された条件が満たされたときに第１の範囲指定表示を非表示として第２の範囲指定表示を継続的に表示させた場合には、第１の範囲指定表示だけが表示された状態、第１の範囲指定表示および第２の範囲指定表示が表示された状態、および第２の範囲指定表示だけが表示された状態の３つの状態が生じるのに対し、第１の範囲指定表示だけが表示された状態、および第１の範囲指定表示および第２の範囲指定表示が表示された状態の２つの状態しか生じないため、指定した範囲に関する処理の進行状態がどのような状態となっているかを確実かつ容易に特定させることができる。
【００１９】
さらに、請求項３記載の表示制御装置、およびその表示制御方法によれば、新たな範囲が指定されたときに、新たな範囲に対応する第２のグラフ表示の表示が完了するまで、直前に指定された範囲に対応する第２のグラフ表示の表示を継続させることにより、例えば、新たな範囲の指定が完了してから、指定された新たな範囲に対応する第２のグラフ表示を表示可能な状態となるまで、直前に指定した範囲に対応する第２のグラフ表示を非表示とする（指定の完了から表示可能な状態となるまで表示画面内に第２のグラフ表示が表示されていない状態とする）制御とは異なり、直前に指定した範囲に対応する第２のグラフ表示と、新たに指定した範囲に対応する第２のグラフ表示との相違点を確実かつ容易に認識させることができる。
【図面の簡単な説明】
【００２０】
【図１】電力計１の構成図である。
【図２】測定結果表示画面１０の一例を示す表示画面図である。
【図３】測定結果表示画面１０の他の一例を示す表示画面図である。
【図４】測定結果表示画面１０のさらに他の一例を示す表示画面図である。
【発明を実施するための形態】
【００２１】
以下、表示制御装置および表示制御方法の実施の形態について、添付図面を参照して説明する。
【００２２】
図１に示す電力計１は、「表示制御方法」に従って「グラフ表示」を表示させる「表示制御装置」を備えて構成された「測定装置」の一例であって、測定部２、操作部３、表示部４、制御部５および記憶部６を備えている。
【００２３】
測定部２は、制御部５の制御に従い、「第２の変数（物理量）」の一例である電圧値、電流値および電力量などの各種被測定量を測定して測定値データＤ１を生成し、生成した測定値データＤ１を制御部５に出力する測定処理を実行する。操作部３は、測定部２による測定処理の条件や、後述するように測定結果を示す「グラフ表示」を表示する際の条件を指定可能な各種の操作スイッチを備え、スイッチ操作に応じた操作信号を制御部５に出力する。表示部４は、制御部５の制御に従い、図２〜４に示す測定結果表示画面１０などを表示する。この測定結果表示画面１０は、測定部２による測定処理の結果を示す表示画面であって、Ｘ−Ｔ波形Ｗ１が表示されるＸ−Ｔ波形表示領域１１（「第１の表示領域」の一例）、およびＸ−Ｆ波形Ｗ２が表示されるＸ−Ｆ波形表示領域１２（「第２の表示領域」の一例）が上下方向に並んで規定されている。
【００２４】
この場合、Ｘ−Ｔ波形Ｗ１は、予め設定された「第１の変数（パラメータ）」の一例である「時間（測定処理の開始からの経過時間）」を「第１の座標軸」の一例である横軸（Ｘ軸）に対応付けし、「測定対象の第２の変数（被測定量）」の一例である「電圧値」を「第２の座標軸」の一例である縦軸（Ｙ軸）に対応付けして時間（第１の変数）毎の電圧値（第２の変数：測定値）を示す表示であって、本例では、このＸ−Ｔ波形Ｗ１が「第１のグラフ表示」に相当する。また、Ｘ−Ｆ波形Ｗ２は、「周波数」を横軸（Ｘ軸）に対応付けし、「電圧値」を縦軸（Ｙ軸）に対応付けして、後述するように制御部５によって実行される周波数解析処理によって演算される演算結果（解析結果）を示す表示（第１の変数毎の第２の変数を示す表示）であって、本例では、このＸ−Ｆ波形Ｗ２が「第２のグラフ表示」に相当する。
【００２５】
制御部５は、電力計１を総括的に制御する。具体的には、制御部５は、測定部２を制御して測定処理を実行させると共に、測定部２から出力される測定値データＤ１を記憶部６に記憶させる。また、制御部５は、「表示制御部」に相当し、後述するように利用者によってＸ−Ｔ波形表示領域１１内（Ｘ−Ｔ波形Ｗ１上）の任意の処理対象範囲が指定されたときに、指定された範囲内の電圧値を対象とする周波数解析処理を実行して解析結果データＤ２を生成し、生成した解析結果データＤ２を記憶部６に記憶させる。さらに、制御部５は、生成した解析結果データＤ２に基づき、Ｘ−Ｆ波形表示領域１２内にＸ−Ｆ波形Ｗ２を表示させる。記憶部６は、測定部２から出力された測定値データＤ１や、制御部５によって生成された解析結果データＤ２などを記憶する。
【００２６】
この電力計１によるグラフ（測定結果）の表示に際しては、まず、測定部２を測定対象（一例として、電源装置や配電盤等）に接続すると共に、操作部３の操作によって処理の開始を指示する。これに応じて、制御部５は、測定部２を制御して測定処理を実行させる。この際に、測定部２は、制御部５の制御に従って測定対象の電圧値を所定の周期で測定して測定値データＤ１を制御部５に順次出力する。また、制御部５は、測定部２から出力される測定値データＤ１を記憶部６に順次記憶させる。これにより、予め設定された測定時間が経過したときに、規定された測定時間分の測定値データＤ１が記憶部６に記憶された状態となる。
【００２７】
この場合、本例の電力計１では、制御部５が、上記の測定処理に際して測定部２から出力される測定値データＤ１を記憶部６に記憶させる処理と並行して、測定値データＤ１に基づくＸ−Ｔ波形Ｗ１を表示部４の測定結果表示画面１０におけるＸ−Ｔ波形表示領域１１内にリアルタイムに表示させる。また、測定値データＤ１に基づくＸ−Ｔ波形Ｗ１がＸ−Ｔ波形表示領域１１内に表示された状態においては、図２に示すように、周波数解析処理の対象とする時間範囲を指定するカーソル表示１４がＸ−Ｔ波形Ｗ１に重なってＸ−Ｔ波形表示領域１１内に表示される。
【００２８】
なお、同図ではＸ−Ｆ波形表示領域１２内にＸ−Ｆ波形Ｗ２が表示されている状態を図示しているが、上記の例のように測定処理と並行してＸ−Ｔ波形Ｗ１がリアルタイムに表示されているとき、および測定処理の完了直後（後述する時間範囲の指定が行われていない状態）においては、Ｘ−Ｆ波形表示領域１２内にＸ−Ｆ波形Ｗ２が表示されていない状態となっている。また、本例の測定結果表示画面１０におけるカーソル表示１４は、「第１の範囲指定表示」の一例であって、利用者が解析処理を希望する時間範囲（利用者によって指定される時間範囲）を特定可能に実線で四角枠状に表示される。
【００２９】
このカーソル表示１４では、四角枠の左辺および右辺が「指定された範囲の両端」に対応し、この左辺と右辺との間のＸ−Ｔ波形表示領域１１上での「時間」が「指定された範囲」に相当する。したがって、利用者は、操作部３の操作によってＸ−Ｔ波形Ｗ１上のカーソル表示１４をＸ−Ｔ波形表示領域１１内で時間軸（横軸：Ｘ軸）に沿って左方、または右方に移動させることにより、解析処理の実行を希望する時間範囲を指定する。なお、解析処理の実行を希望する時間範囲の長さ（範囲の広さ）については、図示しない条件設定画面を表示させて任意の時間長を指定することができる。
【００３０】
一方、解析処理の実行を希望する時間範囲と一致する位置にカーソル表示１４が表示された状態となったときに、利用者は、カーソル表示１４を移動させるための操作スイッチから手を離す（カーソル表示１４の移動の停止）。また、制御部５は、カーソル表示１４を移動させる操作に伴って操作部３から出力される操作信号が停止してから予め規定された時間（一例として、０．５秒程度）が経過したときに、利用者による時間範囲の指定が完了したと判別して周波数の解析処理を開始する。
【００３１】
具体的には、制御部５は、まず、Ｘ−Ｔ波形表示領域１１内（Ｘ−Ｔ波形Ｗ１上）のカーソル表示１４の位置を特定すると共に、カーソル表示１４の左辺から右辺までのＸ−Ｔ波形表示領域１１内における時間範囲を特定する。次いで、制御部５は、記憶部６に記憶させた測定値データＤ１のうちから、特定した時間範囲に対応する電圧値を読み出し、読み出した電圧値を対象とする周波数解析処理（一例として、ＦＦＴ演算処理）を実行して解析結果データＤ２を生成する。
【００３２】
続いて、制御部５は、生成した解析結果データＤ２を記憶部６に記憶させると共に、図２に示すように、その解析結果データＤ２に基づくＸ−Ｆ波形Ｗ２をＸ−Ｆ波形表示領域１２内に表示させる。この場合、本例の電力計１では、時間範囲の指定が完了したと判別して解析処理を開始してから解析結果データＤ２の生成が完了するまでに１秒程度の時間を要する。このため、本例の電力計１では、利用者がカーソル表示１４の移動を停止させてから１．５秒程度が経過した際に、Ｘ−Ｆ波形表示領域１２内にＸ−Ｆ波形Ｗ２が表示される。また、制御部５は、解析結果データＤ２の生成条件（設定されている解析条件）を示す処理条件表示領域１３を、Ｘ−Ｆ波形Ｗ２の表示を妨げることのないようにＸ−Ｆ波形表示領域１２内に表示させる。
【００３３】
また、他の時間範囲についての解析結果（Ｘ−Ｆ波形Ｗ２）を参照したいときには、上記のようにカーソル表示１４を移動させたときと同じスイッチ操作を行うことで新たな時間範囲を指定する（「第２のグラフ表示を表示させている状態において第１の変数についての新たな範囲を指定する操作が行われたとき」との状態の一例）。この際に、制御部５は、図３に示すように、直前に指定した時間範囲を示すカーソル表示１４の表示を継続させたまま、新たに指定される時間範囲を特定可能にカーソル表示１５をＸ−Ｔ波形Ｗ１に重ねてＸ−Ｔ波形表示領域１１内に表示させる。
【００３４】
このカーソル表示１５は、「第２の範囲指定表示」の一例であって、利用者が解析処理を希望する新たな時間範囲を特定可能に例えば破線で四角枠状に表示される。また、このカーソル表示１５では、四角枠の左辺および右辺が「指定された新たな範囲の両端」に対応し、この左辺と右辺との間のＸ−Ｔ波形表示領域１１上での「時間」が「指定された新たな範囲」に相当する。したがって、利用者は、操作部３の操作によってＸ−Ｔ波形Ｗ１上のカーソル表示１５をＸ−Ｔ波形表示領域１１内で時間軸（横軸：Ｘ軸）に沿って左方、または右方に移動させることにより、解析処理の実行を希望する新たな時間範囲を指定する。
【００３５】
この場合、「第１の範囲指定表示」に相当するカーソル表示１４を実線で四角枠状に表示させた状態を維持しつつ、「第２の範囲指定表示」に相当するカーソル表示１５を破線で四角枠状に表示させる本例の電力計１では（「第２の範囲指定表示を第１の範囲指定表示と区別可能に第１のグラフ表示に対応させて第１の範囲指定表示と共に表示画面内に表示させる」との制御の一例）、Ｘ−Ｆ波形表示領域１２に表示されているＸ−Ｆ波形Ｗ２に対応する時間範囲（直前に指定した時間範囲：カーソル表示１４に対応付けられている時間範囲）がどのような時間範囲であるのかを確実かつ容易に認識しつつ、新たに指定する時間範囲（カーソル表示１５に対応付けられている時間範囲）を的確に指定することが可能となっている。
【００３６】
一方、解析処理の実行を希望する新たな時間範囲と一致する位置にカーソル表示１５が表示された状態となったときに、利用者は、カーソル表示１５を移動させるための操作スイッチから手を離す（カーソル表示１５の移動の停止）。また、制御部５は、カーソル表示１５を移動させる操作に伴って操作部３から出力される操作信号が停止してから予め規定された時間（一例として、０．５秒程度）が経過したときに、利用者による新たな時間範囲の指定が完了したと判別して周波数の解析処理を開始する。
【００３７】
具体的には、制御部５は、まず、Ｘ−Ｔ波形表示領域１１内（Ｘ−Ｔ波形Ｗ１上）のカーソル表示１５の位置を特定すると共に、カーソル表示１５の左辺から右辺までのＸ−Ｔ波形表示領域１１内における時間範囲を特定する。次いで、制御部５は、記憶部６に記憶させた測定値データＤ１のうちから、特定した時間範囲に対応する電圧値を読み出し、読み出した電圧値を対象とする周波数解析処理（一例として、ＦＦＴ演算処理）を実行して解析結果データＤ２を生成する。続いて、制御部５は、生成した解析結果データＤ２を記憶部６に記憶させると共に、図４に示すように、その解析結果データＤ２に基づく新たなＸ−Ｆ波形Ｗ２をＸ−Ｆ波形表示領域１２内に表示させる。
【００３８】
この場合、本例の電力計１では、前述したように、解析処理を開始してから解析結果データＤ２の生成が完了するまでに１秒程度の時間を要する。したがって、制御部５は、指定された新たな時間範囲に対応する解析結果データＤ２の生成が完了するまで、図３に示すように、直前に指定された時間範囲（カーソル表示１４に対応する時間範囲）に対応するＸ−Ｆ波形Ｗ２をＸ−Ｆ波形表示領域１２に表示させた状態を維持すると共に、新たな解析結果データＤ２の生成が完了したとき（カーソル表示１５の移動を停止させてから１．５秒程度が経過したとき）に、図４に示すように、Ｘ−Ｆ波形表示領域１２内のＸ−Ｆ波形Ｗ２を新たな解析結果データＤ２に基づくＸ−Ｆ波形Ｗ２に表示替えさせる。
【００３９】
また、制御部５は、指定された新たな時間範囲に対応するＸ−Ｆ波形Ｗ２の表示が完了したときに、「予め規定された条件」が満たされたとして、「第１の範囲指定表示」に相当するカーソル表示１４（直前に指定した時間範囲を示すカーソル表示１４）を非表示とする。この際に、本例の電力計１では、図４に示すように、直前に指定した時間範囲を示すカーソル表示１４（図３に示すカーソル表示１４）を非表示とした後に、「第２の範囲指定表示」として表示させているカーソル表示１５を、破線から実線に表示替えすることにより、「新たな第１の範囲指定表示」としてのカーソル表示１４に表示替えする。これにより、Ｘ−Ｆ波形表示領域１２に表示されている新たなＸ−Ｆ波形Ｗ２に対応する時間範囲とは相違する時間範囲を新たに指定することができる状態となる。
【００４０】
このように、この電力計１、およびその表示制御方法では、カーソル表示１４によって指定された時間範囲に対応するＸ−Ｆ波形Ｗ２を表示させている状態において新たな時間範囲を指定する操作が行われたときに、新たな時間範囲を特定可能なカーソル表示１５をカーソル表示１４と区別可能にＸ−Ｔ波形Ｗ１に対応させてカーソル表示１４と共にＸ−Ｔ波形表示領域１１内に表示させ、かつカーソル表示１５によって指定された新たな時間範囲に対応するＸ−Ｆ波形Ｗ２をＸ−Ｆ波形表示領域１２内に表示させると共に、「予め規定された条件」を満たしたときにカーソル表示１４を非表示とする。
【００４１】
したがって、この電力計１、およびその表示制御方法によれば、カーソル表示１４によって指定した時間範囲に対応するＸ−Ｆ波形Ｗ２がＸ−Ｆ波形表示領域１２に表示されている状態において新たな時間範囲を指定する際に、直前に指定した時間範囲をカーソル表示１４に基づいて確実かつ容易に認識し、同時に、新たに指定する時間範囲をカーソル表示１５に基づいて確実かつ容易に認識することができるため、この種の装置の操作に不慣れな利用者であっても、Ｘ−Ｆ波形Ｗ２の表示を希望する時間範囲を確実かつ容易に指定することができる。
【００４２】
また、この電力計１、およびその表示制御方法によれば、指定された新たな時間範囲に対応するＸ−Ｆ波形Ｗ２の表示が完了したときに、「予め規定された条件」が満たされたとしてカーソル表示１４を非表示とすることにより、新たな時間範囲に対応するＸ−Ｆ波形Ｗ２の表示が完了してもカーソル表示１４を継続して表示させる制御とは異なり、Ｘ−Ｆ波形表示領域１２に表示されているＸ−Ｆ波形Ｗ２がカーソル表示１５によって特定される時間範囲に対応するＸ−Ｆ波形Ｗ２であることを確実かつ容易に認識させることができる。
【００４３】
さらに、この電力計１、およびその表示制御方法によれば、「予め規定された条件」が満たされてカーソル表示１４を非表示とした後に、カーソル表示１５を新たな「第１の範囲指定表示」としてカーソル表示１４に表示替えすることにより、カーソル表示１４，１５を表示させている状態において「予め規定された条件」が満たされたときにカーソル表示１４を非表示としてカーソル表示１５を継続的に表示させた場合には、カーソル表示１４だけが表示された状態、カーソル表示１４，１５が表示された状態、およびカーソル表示１５だけが表示された状態の３つの状態が生じるのに対し、カーソル表示１４だけが表示された状態、およびカーソル表示１４，１５が表示された状態の２つの状態しか生じないため、指定した時間範囲に関する処理の進行状態がどのような状態となっているかを確実かつ容易に特定させることができる。
【００４４】
また、この電力計１、およびその表示制御方法によれば、指定された時間範囲の両端をそれぞれ特定可能にカーソル表示１４を表示させると共に、指定された新たな時間範囲の両端をそれぞれ特定可能にカーソル表示１５を表示させることにより、指定した時間範囲、およびその時間範囲に次いで新たに指定した時間範囲がどのような範囲であるのかを確実かつ容易に特定させることができる。
【００４５】
さらに、この電力計１、およびその表示制御方法によれば、新たな時間範囲が指定されたときに、新たな時間範囲に対応するＸ−Ｆ波形Ｗ２の表示が完了するまで、直前に指定された時間範囲に対応するＸ−Ｆ波形Ｗ２の表示を継続させることにより、例えば、新たな時間範囲の指定が完了してから、指定された新たな時間範囲に対応するＸ−Ｆ波形Ｗ２を表示可能な状態となるまで、直前に指定した時間範囲に対応するＸ−Ｆ波形Ｗ２を非表示とする（指定の完了から表示可能な状態となるまでＸ−Ｆ波形表示領域１２内にＸ−Ｆ波形Ｗ２が表示されていない状態とする）制御とは異なり、直前に指定した時間範囲に対応するＸ−Ｆ波形Ｗ２と、新たに指定した時間範囲に対応するＸ−Ｆ波形Ｗ２との相違点を確実かつ容易に認識させることができる。
【００４６】
なお、「表示制御装置」の構成、および「表示制御方法」の手順については、上記の電力計１の構成、および電力計１による表示制御方法の手順の例に限定されない。例えば、「第１のグラフ表示」に相当するＸ−Ｔ波形Ｗ１、および「第２のグラフ表示」に相当するＸ−Ｆ波形Ｗ２を測定結果表示画面１０内に上下方向で並べて規定したＸ−Ｔ波形表示領域１１およびＸ−Ｆ波形表示領域１２内にそれぞれ表示させる例について説明したが、「第２のグラフ表示を第１のグラフ表示と共に表示画面内に表示させる」との表示態様はこれに限定されず、両「グラフ表示」を左右方向で並べて表示させたり、両「グラフ表示」の一方に他方を重ねて表示させたりすることができる。
【００４７】
また、「第１の範囲指定表示を第１のグラフ表示に対応させて表示画面内に表示させる」との表示態様は、Ｘ−Ｔ波形Ｗ１にカーソル表示１４を重ねて表示させる上記の例に限定されない。例えば、Ｘ−Ｔ波形Ｗ１が表示されるＸ−Ｔ波形表示領域１１の外に、Ｘ−Ｔ波形Ｗ１に対応させて「第１の範囲指定表示」としてのバー表示（横棒表示）などを表示させたり、Ｘ−Ｔ波形Ｗ１において「指定された範囲（時間範囲）」に対応する部位を、その他の部位とは異なる表示態様（表示色や線の太さを異ならせた態様）で「第１の範囲指定表示」として表示させたりすることができる。
【００４８】
同様にして、「第２の範囲指定表示を第１のグラフ表示に対応させて表示画面内に表示させる」との表示態様は、Ｘ−Ｔ波形Ｗ１にカーソル表示１５を重ねて表示させる上記の例に限定されない。例えば、Ｘ−Ｔ波形Ｗ１が表示されるＸ−Ｔ波形表示領域１１の外に、Ｘ−Ｔ波形Ｗ１に対応させて「第２の範囲指定表示」としてのバー表示（横棒表示）などを表示させたり、Ｘ−Ｔ波形Ｗ１において「指定された新たな範囲（時間範囲）」に対応する部位を、その他の部位とは異なる表示態様（表示色や線の太さを異ならせた態様）で「第２の範囲指定表示」として表示させたりすることができる。
【００４９】
さらに、「第１の範囲指定表示」や「第２の範囲指定表示」は、カーソル表示１４，１５のように、「指定された範囲」や「指定された新たな範囲」の両端をそれぞれ示す表示に限定されず、「指定された範囲」や「指定された新たな範囲」の先頭だけ（範囲の一端だけ）を示す表示、「指定された範囲」や「指定された新たな範囲」の中心を示す表示、および「指定された範囲」や「指定された新たな範囲」の最後尾だけ（範囲の他端だけ）を示す表示を「第１のグラフ表示」に対応させて表示させることができる。
【００５０】
また、「第２の範囲指定表示を第１の範囲指定表示と区別可能に表示させる」との表示態様は、カーソル表示１４を実線で表示させ、かつカーソル表示１５を破線で表示させる上記の例に限定されない。例えば、両「範囲指定表示」の表示色や形状などを相違させることで区別可能としたり、両「範囲指定表示」の一方だけを点滅表示させることで区別可能としたりすることができる。
【００５１】
さらに、「新たな範囲の指定が完了してから予め規定された時間が経過したとき」や、「新たな範囲に対応する第２のグラフ表示（Ｘ−Ｆ波形Ｗ２）の表示が可能な状態となってから予め規定された時間が経過したとき」に「第１の範囲指定表示」を非表示とすることができる。また、「第２のグラフ表示」は、上記のＸ−Ｆ波形Ｗ２のような波形に限定されず、「指定された範囲」に対応する「第２の変数」に基づく各種のグラフ（測定結果：演算結果）を数値や記号で示すものがこれに含まれる。
【００５２】
さらに、「測定対象の第２の変数」は、上記の例示のような「電圧値」や、「電流値」および「電力量」などに限定されず、「抵抗値、位相、温度、湿度、歪み、輝度（光度）、照度、雨量および流量」などの各種の「第２の変数」についての「グラフ表示」を表示させることができる。また、「第１の変数」についても、上記の例示のような「時間」に限定されず、「周波数」や、「グラフ表示」として表示させる「第２の変数」とは異なる各種の変数を「第１の変数」として「グラフ表示」を表示させることができる。
【００５３】
また、「第２の変数」を取得するための測定部２や、Ｘ−Ｔ波形Ｗ１およびＸ−Ｆ波形Ｗ２などを表示する表示部４を一体的に備えた電力計１を例に挙げて説明したが、外部装置において測定された「第２の変数」に基づく「グラフ表示」を表示させたり、外部装置としての「表示部」に「グラフ表示」を表示させたりすることもできる。加えて、両「グラフ表示」は、測定装置による測定処理の結果（測定結果）を示すものに限定されず、各種の「シミュレーション結果」や「分析結果」などをグラフによって表示するものがこれに含まれる。
【符号の説明】
【００５４】
１  電力計
２  測定部
３  操作部
４  表示部
５  制御部
６  記憶部
１０  測定結果表示画面
１１  Ｘ−Ｔ波形表示領域
１２  Ｘ−Ｆ波形表示領域
１４，１５  カーソル表示
Ｄ１  測定値データ
Ｄ２  解析結果データ
Ｗ１  Ｘ−Ｔ波形
Ｗ２  Ｘ−Ｆ波形
【図１】
0006618737.tif 000002
【図２】
0006618737.tif 000003
【図３】
0006618737.tif 000004
【図４】
0006618737.tif 000005